(57)【要約】      （修正有）【課題】組付時における二段階のフローティング移動を可能とすることによって、組付誤差や寸法公差を広範囲に吸収でき、組付時の振動・衝撃等にも対応できる電気配線用フローティング接続構造、遊技機用電装機器及び遊技機を提供する。【解決手段】雄型コネクタ１１０は、左右方向に延び、第一フローティング機構１０を介して蓋体１２０に浮動状態に維持される台座１１１と、台座１１１の中央部から後方側へ突出する差込部１１２とを有し、突出方向に対して直交する方向にフローティング移動可能である。蓋体１２０は、着座部１２０ａにより雄型コネクタ１１０を受け止め保持するとともに、第二フローティング機構２０を介して雄型コネクタ１１０の移動方向を含む面と平行な面内でフローティング移動可能である。本体部１３０は、蓋体１２０の前方側に位置して内側に突出するリブ壁１３０ｂを有し、リブ壁１３０ｂにより蓋体１２０を受け止め保持する。【選択図】図４
2010115433.tif 000002
【特許請求の範囲】
【請求項１】
配線基板に実装され固定保持された被挿入側接続端子に対して挿入可能に突出形成されるとともに、挿入方向に対して交差する方向にフローティング移動可能な挿入側接続端子と、
その挿入側接続端子に対して前記挿入方向とは反対側に位置する第一受止部を有し、その第一受止部により前記挿入側接続端子を受け止め保持するとともに、前記挿入側接続端子の移動方向を含む面と平行な面内でフローティング移動可能な中間部材と、
その中間部材に対して前記挿入方向とは反対側に位置する第二受止部を有し、その第二受止部により前記中間部材を受け止め保持するベース部材と、を備え、
前記挿入方向において、前記挿入側接続端子の先端は前記中間部材の先端よりも突出して位置することにより、
前記挿入側接続端子の先端部が前記被挿入側接続端子に挿入される際に、前記挿入側接続端子が前記中間部材に対して移動する第一のフローティング移動と、前記中間部材が前記ベース部材に対して移動する第二のフローティング移動とが可能であることを特徴とする電気配線用フローティング接続構造。
【請求項２】
前記挿入側接続端子の先端部が前記被挿入側接続端子への挿入を終了したとき、前記中間部材は前記被挿入側接続端子から離間して非接触状態を維持し、前記第二のフローティング移動が可能である請求項１に記載の電気配線用フローティング接続構造。
【請求項３】
前記挿入側接続端子は、前記挿入方向から見て周方向に複数配置された第一フローティング機構を介し、前記第一受止部での浮動状態を維持する一方、
前記中間部材は、前記第一フローティング機構よりも外側において、前記挿入方向から見て周方向に複数配置された第二フローティング機構を介し、前記第二受止部での浮動状態を維持する請求項１又は２に記載の電気配線用フローティング接続構造。
【請求項４】
前記第一フローティング機構と第二フローティング機構とは、それぞれ対応するフローティング移動について、互いに独立した形で、かつ前記挿入方向から見たとき周方向及び半径方向のうち少なくともいずれか一方に沿って許容する請求項３に記載の電気配線用フローティング接続構造。
【請求項５】
前記被挿入側接続端子には、その被挿入側接続端子に対して前記挿入方向とは反対側において、前記第一のフローティング移動を伴いつつ、前記挿入側接続端子の先端部が前記被挿入側接続端子に挿入されるように誘導案内するための誘導案内部が配置されている請求項１ないし４のいずれか１項に記載の電気配線用フローティング接続構造。
【請求項６】
請求項１ないし５のいずれか１項に記載の電気配線用フローティング接続構造を備え、パチンコ機等の遊技機に装着されてその遊技機での遊技の実行に関与するとともに、
前記ベース部材が前記遊技機に装着するための本体部を構成することを特徴とする遊技機用電装機器。
【請求項７】
請求項６に記載の遊技機用電装機器が前記本体部を介して機枠に装着されていることを特徴とする遊技機。
【請求項８】
前記被挿入側接続端子と挿入側接続端子とを接続する際に、前記機枠に前記被挿入側接続端子が固定支持される一方、その機枠に対して直線的移動又は回動によって装着可能な前記本体部に前記中間部材及び挿入側接続端子がフローティング移動可能にそれぞれ支持されている請求項７に記載の遊技機。
【発明の詳細な説明】
【技術分野】
【０００１】
本発明は、電気配線用フローティング接続構造に関する。また、本発明は、その接続構造を備えた遊技機用電装機器、及びその電装機器が装着された遊技機に関する。
【背景技術】
【０００２】
例えばパチンコ機（遊技機）の機枠には、遊技盤、発射ハンドル、払出装置等で例示されるように、電気配線を含む機器（電装機器）が多数装着されている。これらの電装機器は、電源や制御信号の入出力を行うために、接続端子（雄型コネクタと雌型コネクタ）を介して、主制御基板、発射制御基板、払出制御基板等の配線基板とそれぞれ電気的に接続されている。このような接続端子は精密部品であるが、電装機器に組み込む際の組付誤差は避けられず、また各パーツには寸法公差も存在する。具体的には、雌型コネクタの接続ピンと雄型コネクタのピン孔とにわずかの位置ずれが生じていても、コネクタ組付時に接続不良（接続ピンの折損や接続ピンとピン孔との接触不良）を招きやすいため、組付作業の自動化は困難であり、人手によって行われるのが通常である。その場合でも、組付作業者の熟練度合い等によって接続不良による不良品の発生率が左右され、製品の歩留まりを悪化させ、ひいてはパチンコ機全体の製造コストを上昇させる要因ともなっていた。
【０００３】
最近の遊技機においては、いわゆるフローティングコネクタとしての接続構造の採用が検討されている（特許文献１参照）。フローティングコネクタは、「移動しないように（例えば固定状態に）保持された被挿入側接続端子（例えば雌型コネクタ）に対して挿入側接続端子（例えば雄型コネクタ）が所定方向から挿入されるときに、その挿入側接続端子が挿入方向に対して交差（例えば直交）する方向に所定範囲内で浮動（すなわちフローティング移動）可能な接続構造を有する接続端子」である。したがって、特許文献１において、プラグ（被挿入側接続端子）に対してソケット（挿入側接続端子）をフローティング移動可能状態で接続できるので、組付時の接続不良による不良品の発生率を低減することができる。しかし、特許文献１でフローティング移動できる範囲（調整可能範囲）は比較的小さいため、上記した組付誤差や寸法公差が大きかったり、組付時に衝撃（振動）が加わったりすると、接続不良が発生しやすくなる。また、組付後の衝撃（振動）等には十分に対応（吸収）できない。
【０００４】
一方、調整可能範囲を拡大するためにダブルフローティング機構を備えた接続構造も提案されている（特許文献２参照）。特許文献２では、フローティングプレート（中間部材）がシェルフ（本体部）に対してフローティング移動可能であり、かつシェルフ側コネクタ（挿入側接続端子）がフローティングプレートに対してフローティング移動可能である。特許文献２に示すダブルフローティング機構では、コネクタ組付前においては確かにフローティング移動範囲は拡大されている。しかし、シェルフ側コネクタがユニット側コネクタ（被挿入側接続端子）に挿入される前に、フローティングプレートから一体に突出するピンがユニットの丸孔に嵌合するため、フローティングプレートのフローティング移動が阻止（禁止）されてしまう。したがって、コネクタ組付時にはシェルフ側コネクタのフローティング移動範囲内でのみ位置調整することになるので、組付時の移動範囲（調整可能範囲）が特許文献１よりも拡大するとは必ずしもいえない。また、組付後の衝撃（振動）等に十分に対応（吸収）できないことも、特許文献１と同様である。
【０００５】
【特許文献１】特開２００８−３４２５０号公報
【特許文献２】特許第３０５５６１６号公報
【発明の開示】
【発明が解決しようとする課題】
【０００６】
本発明の課題は、組付時における二段階のフローティング移動を可能とすることによってフローティング移動範囲の拡大を図り、組付誤差や寸法公差を広範囲に吸収でき、組付時の振動・衝撃等にも対応できる電気配線用フローティング接続構造、遊技機用電装機器及び遊技機を提供することにある。
【課題を解決するための手段及び発明の効果】
【０００７】
上記課題を解決するために、本発明の電気配線用フローティング接続構造は、
配線基板に実装され固定保持された被挿入側接続端子に対して挿入可能に突出形成されるとともに、挿入方向に対して交差（例えば直交）する方向にフローティング移動可能な挿入側接続端子と、
その挿入側接続端子に対して前記挿入方向とは反対側に位置する第一受止部を有し、その第一受止部により前記挿入側接続端子を受け止め保持するとともに、前記挿入側接続端子の移動方向を含む面と平行な面内でフローティング移動可能な中間部材と、
その中間部材に対して前記挿入方向とは反対側に位置する第二受止部を有し、その第二受止部により前記中間部材を受け止め保持するベース部材と、を備え、
前記挿入方向において、前記挿入側接続端子の先端は前記中間部材の先端よりも突出して位置することにより、
前記挿入側接続端子の先端部が前記被挿入側接続端子に挿入される際に、前記挿入側接続端子が前記中間部材に対して移動する第一のフローティング移動と、前記中間部材が前記ベース部材に対して移動する第二のフローティング移動とが可能であることを特徴とする。
【０００８】
この電気配線用フローティング接続構造においては、挿入側接続端子（例えば雄型コネクタ）の先端が少なくとも中間部材の先端よりも突出して位置することによって、挿入側接続端子の先端部が被挿入側接続端子（例えば雌型コネクタ）に挿入される際に、挿入側接続端子が中間部材に対して移動する第一のフローティング移動と、中間部材がベース部材に対して移動する第二のフローティング移動とが可能となる。このように、組付時（接触開始時及び挿入時）における二段階（第一及び第二）のフローティング移動を可能とすることによって、フローティング移動範囲（すなわち調整可能範囲）の拡大を図ることができる。そして、二段階のフローティング移動により、両接続端子を電装機器に組み込む際の組付誤差や各パーツに存在する寸法公差を広範囲に吸収でき、組付時の振動・衝撃等にも対応（吸収）できるようになるので、組付作業者の熟練度合いにかかわらず接続不良による不良品の発生率を低減することができる。なお、第一のフローティング移動→第二のフローティング移動の順に発生するのが一般的であるが、第二→第一の順に発生する場合、ほぼ同時に発生する場合、さらには第一又は第二のみ発生する場合もあり得る。
【０００９】
また、被挿入側接続端子が配線基板に実装され固定保持されるので、被挿入側接続端子を雌型コネクタ、挿入側接続端子を雄型コネクタで各々構成し、かつベース部材が電気配線を含む機器（電装機器）の本体部を構成することにより、配線基板に実装された雌型コネクタに対して、本体部上にて中間部材と雄型コネクタとを各々フローティング移動可能に配置することができる。その際、雄型コネクタの先端は、必ずしもベース部材の先端よりも挿入方向に突出していなくてもよい（ベース部材の先端の方が突出していてもよい）。
【００１０】
さらに、これらの電気配線用フローティング接続構造において、挿入側接続端子の先端部が被挿入側接続端子への挿入を終了したとき、中間部材は被挿入側接続端子から離間して非接触状態を維持し、第二のフローティング移動が可能であることが望ましい。
【００１１】
この場合、組付終了時（挿入終了時）においても中間部材は被挿入側接続端子から離間している（非接触状態）ため、組付後においても第二のフローティング移動が可能となる。これによって、組付後に受ける振動・衝撃等にも対応（吸収）できるので、電装機器として輸送・保管する流通段階や各種応用装置・製品へ組み込む搭載段階においても、不良品の発生率を低減することができる。
【００１２】
また、挿入側接続端子は、挿入方向から見て周方向に複数配置された第一フローティング機構を介し、第一受止部での浮動状態を維持する一方、
中間部材は、第一フローティング機構よりも外側において、挿入方向から見て周方向に複数配置された第二フローティング機構を介し、第二受止部での浮動状態を維持することができる。
【００１３】
挿入側接続端子と中間部材とは各々複数のフローティング機構を介して浮動状態を維持しているので、第一及び第二のフローティング移動がいずれも円滑に行える。しかも、第二フローティング機構を第一フローティング機構の外側に配置するので、両フローティング機構を干渉し合うことなく扁平状に配置でき、占有スペースを縮小して小型かつコンパクトな構造を実現できる。また、第二フローティング機構（例えば３ヶ所）を第一フローティング機構（例えば２ヶ所）の外側に配置することによって、組付後における第二のフローティング移動の範囲（すなわち組付後に受ける振動・衝撃等に対する調整可能範囲）を相対的に大きく確保することができる。
【００１４】
具体的には、第一フローティング機構（又は第二フローティング機構）は、挿入方向の隙間を形成して挿入側接続端子（又は中間部材）の浮動状態の維持を可能とする浮動隙間形成部と、移動方向のスペースを形成して挿入側接続端子（又は中間部材）のフローティング移動を可能とする移動スペース形成部とを有する。例えば、第一フローティング機構において、挿入側接続端子と中間部材との間、及び挿入側接続端子を中間部材に取り付けるためのビスと挿入側接続端子との間にそれぞれ介装された一対の座金が第一浮動隙間形成部となり、ビスとそのねじ外径よりも大径にて挿入側接続端子に貫通形成された貫通孔とが第一移動スペース形成部となる場合がある。一方、第二フローティング機構において、ベース部材に載置・保持された中間部材をベース部材に取り付けるためのビスに一体化されて、ビスと中間部材との間に介装された座金が第二浮動隙間形成部となり、中間部材とベース部材とが第二移動スペース形成部となる場合がある。
【００１５】
なお、第一フローティング機構（又は第二フローティング機構）の浮動隙間形成部や移動スペース形成部には、挿入方向の隙間や移動方向のスペースに沿って円滑にフローティング移動できるように、金属ばね（板ばね、コイルばね等）、非金属ばね（高分子材料製のゴム等）、流体ばね（空気ばね、オイルばね等）等の弾性部材を補助的に用いてもよい。
【００１６】
ところで、第一フローティング機構と第二フローティング機構とは、それぞれ対応するフローティング移動について、互いに独立した形で、かつ挿入方向から見たとき周方向及び半径方向のうち少なくともいずれか一方に沿って許容することができる。
【００１７】
このように、第一のフローティング移動と第二のフローティング移動とは互いに独立しているので、挿入側接続端子の移動範囲（調整可能範囲）を拡大することができる。また、挿入側接続端子と中間部材とは挿入方向から見て交差する方向に同時に移動することができるようになる。
【００１８】
被挿入側接続端子には、その被挿入側接続端子に対して挿入方向とは反対側において、第一のフローティング移動を伴いつつ、挿入側接続端子の先端部が被挿入側接続端子に挿入されるように誘導案内するための誘導案内部が配置されていることが望ましい。
【００１９】
このように、挿入側接続端子の先端部が誘導案内部で誘導案内されて被挿入側接続端子に挿入されるときに第一のフローティング移動が可能であるから、両接続端子の組付誤差や寸法公差（位置ずれ）を第一のフローティング移動によって速やかに吸収することができる。具体的には、誘導案内部は、挿入方向の先端側（下手側）に向かうほど間隔が狭まるような平面状又は曲面状の傾き（例えばテーパ状平面）を有する誘導壁にて構成することができる。また、誘導案内部は、被挿入側接続端子とは別体に形成される場合と、被挿入側接続端子と一体に形成（例えば一体成形）される場合とがある。
【００２０】
次に、上記課題を解決するために、本発明の遊技機用電装機器は、
上記した電気配線用フローティング接続構造を備え、パチンコ機等の遊技機に装着されてその遊技機での遊技の実行に関与するとともに、
ベース部材が遊技機（の機枠）に装着するための本体部を構成することを特徴とする。
【００２１】
このように、上記した電気配線用フローティング接続構造を介して遊技機用電装機器を遊技機（の機枠）に装着する際、組付時（両接続端子の接続時）における二段階（第一及び第二）のフローティング移動を可能とすることによって、フローティング移動範囲（すなわち調整可能範囲）の拡大を図ることができる。そして、二段階のフローティング移動により、両接続端子を電装機器に組み込む際の組付誤差や各パーツに存在する寸法公差を広範囲に吸収でき、組付時の振動・衝撃等にも対応（吸収）できるようになるので、組付作業者の熟練度合いにかかわらず接続不良による不良品の発生率を低減することができる。
【００２２】
そしてさらに、上記課題を解決するために、本発明の遊技機は、
以上のような遊技機用電装機器が本体部を介して機枠に装着されていることを特徴とする。
【００２３】
このように、組付終了時（両接続端子の接続終了時）においても中間部材は被挿入側接続端子から離間している（非接触状態）ため、組付後においても第二のフローティング移動が可能となる。これによって、組付後に受ける振動・衝撃等にも対応（吸収）できるので、遊技機を輸送・保管する流通段階や遊技機を遊技店に設置する設置段階においても、不良品の発生率を低減することができる。
【００２４】
さらに、このような遊技機において、
被挿入側接続端子と挿入側接続端子とを接続する際に、（遊技機の機枠と遊技機用電装機器の本体部とのうち、）機枠に被挿入側接続端子を固定支持する一方、その機枠に対して直線的移動又は回動によって装着可能な（遊技機用電装機器の）本体部に中間部材及び挿入側接続端子をフローティング移動可能にそれぞれ支持することができる。
【００２５】
このように、機枠に固定支持された被挿入側接続端子に対して挿入側接続端子をフローティング移動させながら接続（挿入）することができるので、組付作業者は挿入側接続端子のフローティング移動を自身の手で感じながら微調整を加えることができ、組付作業の迅速化を図ることができる。
【００２６】
具体的には、次のような場合を例示することができる。
（１）遊技機の機枠としてのパチンコ機の前面枠に対して、遊技機用電装機器としての発射ハンドルが直線的移動によって装着される場合；
（２）遊技機の機枠としてのパチンコ機の内枠に対して、遊技機用電装機器としての払出装置が直線的移動又は回動によって装着される場合；
（３）遊技機の機枠としてのパチンコ機の内枠に対して、遊技機用電装機器としての遊技盤が回動によって装着される場合。
【００２７】
なお、電気配線用フローティング接続構造として、
移動しないように静止保持された被挿入側接続端子に対して挿入可能に突出形成されるとともに、挿入方向に対して交差（例えば直交）する方向にフローティング移動可能な挿入側接続端子と、
その挿入側接続端子に対して前記挿入方向とは反対側に位置する第一受止部を有し、その第一受止部により前記挿入側接続端子を受け止め保持するとともに、前記挿入側接続端子の移動方向を含む面と平行な面内でフローティング移動可能な中間部材と、
その中間部材に対して前記挿入方向とは反対側に位置する第二受止部を有し、その第二受止部により前記中間部材を受け止め保持するベース部材と、を備え、
前記挿入方向において、前記挿入側接続端子の先端は前記中間部材及びベース部材のいずれの先端よりも突出して位置することにより、
前記挿入側接続端子の先端が前記被挿入側接続端子に挿入される際に、前記挿入側接続端子が前記中間部材に対して移動する第一のフローティング移動と、前記中間部材が前記ベース部材に対して移動する第二のフローティング移動とが可能となる場合がある。
【発明を実施するための最良の形態】
【００２８】
（実施例１）
以下、本発明の実施の形態を図面を参照しつつ説明する。図１は本発明に係る遊技機用発射ハンドル（以下、単に発射ハンドルともいう）が装着されたパチンコ機を例示する正面図、図２はその背面図である。図１に示すように、パチンコ機１（遊技機）の遊技盤２（遊技機用電装機器）の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞口４（アタッカー）が配置されている。また、液晶表示部３と大入賞口４との間には、電動チューリップ（電チュー）にて構成される始動口５が配置されている。
【００２９】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３０】
遊技盤２（遊技領域２ａ内の諸装置３，４，５を含む）は、内枠６（機枠）に固定される（図２参照）とともに、その前面側に位置するガラス板（図示せず）で覆われている。なお、ガラス板は前面枠７（機枠）に固定され、前面枠７は一端部側（例えば左端部側）に位置するヒンジ７ａにより内枠６に対して回動開閉可能に支持されている。また、前面枠７の右側下部には、電動モータ等の駆動手段（図示せず）により打球槌（発射装置；図示せず）を作動させて遊技球を発射するために、遊技者によって操作される発射ハンドル８（遊技機用電装機器）が取り付けられている。さらに図２に示すように、パチンコ機１の背面側には、一端部側（図２では右端部側となる）の上下方向ほぼ中間部に遊技機用払出装置（以下、単に払出装置ともいう）９（遊技機用電装機器）が配置されている。
【００３１】
図３は本発明に係るフローティング接続構造を備えた発射ハンドルの一例を背面から見た斜視図、図４はその発射ハンドルを分解して示す背面斜視図、図５は図３の背面図である。図３及び図４に示すように、発射ハンドル８は、後方側に位置して前方側に開口するグリップ本体８ａと、前方側に位置して後方側に開口するキャップ８ｂとが合掌状に向き合うように組み合わされ、グリップ本体８ａとキャップ８ｂとの間に回動レバー８ｃ（回動操作部材）が配置されている。この発射ハンドル８は、グリップ本体８ａの円筒状の本体部１３０（ベース部材）がビス等の締結部材１３１を介してパチンコ機１の前面枠７に形成された取付凹部７’に固定（装着）され（図９（ｂ）参照）、キャップ８ｂは本体部１３０に固定されている。また、発射ハンドル８（本体部１３０）に保持された矩形状の雄型コネクタ１１０（挿入側接続端子）［のピン孔１１０ａ］が、発射ハンドル用中継基板Ｂ１（配線基板）に実装（固定保持）された矩形状の雌型コネクタ１００（被挿入側接続端子）［の接続ピン１００ａ］に挿入［接続］されている（図７〜図９参照）。なお、発射ハンドル用中継基板Ｂ１を介して発射ハンドル８と発射制御基板（図示せず）との間で制御信号や電源の入出力が行われる。
【００３２】
発射ハンドル８の本体部１３０において、その後端開口部には擬似円盤状の蓋体１２０（中間部材）が設けられ、上記した雄型コネクタ１１０はその蓋体１２０からさらに後方側（雌型コネクタ１００への挿入方向）へ突出している。
【００３３】
具体的には、図４に示すように、雄型コネクタ１１０は、左右方向に延び、後述する第一フローティング機構１０を介して蓋体１２０に浮動状態に維持される台座１１１と、その台座１１１の中央部から後方側（挿入方向）へ突出する差込部１１２とを有し、挿入方向（突出方向）に対して交差（例えば直交）する方向にフローティング移動可能である。一方、蓋体１２０は、雄型コネクタ１１０の前方側（挿入方向とは反対側）に位置する複数（例えば２ヶ所）の着座部１２０ａ（第一受止部）を有し、その着座部１２０ａにより雄型コネクタ１１０を受け止め保持するとともに、後述する第二フローティング機構２０を介して雄型コネクタ１１０（台座１１１）の移動方向を含む面と平行な面内でフローティング移動可能である。また、本体部１３０は、蓋体１２０の前方側（挿入方向とは反対側）に位置して内側に突出する複数（例えば４ヶ所）のリブ壁１３０ｂ（第二受止部）を有し、そのリブ壁１３０ｂにより蓋体１２０を受け止め保持する。
【００３４】
図５は図３の背面図、図６はそのＡ−Ａ断面図及び部分拡大断面図並びにＢ−Ｂ断面図である。図５において、第一フローティング機構１０は、雄型コネクタ１１０の台座１１１の長手方向（左右方向）の両端部（周方向で見ると対角線上）に各々配置され、雄型コネクタ１１０の周方向や半径方向への移動（第一のフローティング移動）を可能にする。一方、第二フローティング機構２０は、第一フローティング機構１０の外側において、周方向に複数（例えば１２０°間隔で３ヶ所）配置され、蓋体１２０の周方向や半径方向への移動（第二のフローティング移動）を可能にする。
【００３５】
具体的には，図６（ａ）に示すように、第一フローティング機構１０は、雄型コネクタ１１０の台座１１１と蓋体１２０の着座部１２０ａとの間、及び台座１１１を着座部１２０ａへ浮動可能に取り付けるためのビス１１（取付部材）と台座１１１との間にそれぞれ介装された一対の座金１２が第一浮動隙間形成部となり、挿入方向の隙間を形成して雄型コネクタ１１０の浮動状態の維持を可能とする。また、ビス１１とそのねじ外径ｄ１よりも大径ｄ２にて台座１１１に貫通形成された貫通孔１１１ａとが第一移動スペース形成部となり、移動方向の第一スペースＳ１を形成して雄型コネクタ１１０のフローティング移動を可能とする。なお、第一浮動隙間形成部として一対の座金１２を個別に用いたが、一対の座金１２を貫通孔１１１ａの内周面に沿って一体連結したスリーブ付き座金（又は鍔付きスリーブ）、段付きのビス等を用いると、蓋体１２０の厚み方向（挿入方向）の隙間を調整しやすくなる。さらに、図１２に示すように、蓋体１２０の着座部１２０ａが貫通孔１１１ａの内側を通り台座１１１の表面（後面）よりも後方側に延長し、ビス１１及び座金１２を支持することにより、第一浮動隙間形成部を構成することができる。
【００３６】
一方、図６（ｂ）に示すように，第二フローティング機構２０は、本体部１３０のリブ壁１３０ｂに受け止め保持された蓋体１２０を、本体部１３０の内側に膨出した複数（例えば３ヶ所）のボス部１３０ａ（膨出部；図５参照）に取り付けるためのビス２１に一体化されて、ビス２１と蓋体１２０との間に介装された座金２１ａが第二浮動隙間形成部となり、挿入方向の隙間を形成して蓋体１２０の浮動状態の維持を可能とする。また、本体部１３０のボス部１３０ａと、そのボス部１３０ａを取り囲む形で蓋体１２０の外周面に形成された複数（例えば３ヶ所）の周縁切欠部１２０ｂとが第二移動スペース形成部となり、移動方向の第二スペースＳ２を形成して蓋体１２０のフローティング移動を可能とする。
【００３７】
図６（ａ）の拡大図に示すように、雄型コネクタ１１０の移動スペースＳ１（第一スペース）は、Ｓ１＝（ｄ２−ｄ１）／２で表され、蓋体１２０の移動スペースＳ２（第二スペース）よりも小さい（Ｓ１＜Ｓ２）。また、雄型コネクタ１１０の差込部１１２の先端は、挿入方向（突出方向）において蓋体１２０及び本体部１３０のいずれの先端よりも突出して位置している。
【００３８】
次に、図７は発射ハンドルを前面枠に装着する状態を概念的に示す斜視図、図８はその内部構造を示す側面断面図、図９はそれに続いてコネクタの接続過程を示す側面断面図である。
【００３９】
図８に示すように、雌型コネクタ１００は、前面枠７に固定されて発射ハンドル用中継基板Ｂ１を保持する保持板７ｂ（機枠）と一体形成されている。保持板７ｂには、雌型コネクタ１００及び発射ハンドル用中継基板Ｂ１の前方側において、上記した第一のフローティング移動を伴いつつ、雄型コネクタ１１０の差込部１１２の先端部が雌型コネクタ１００に挿入されるように誘導案内するための誘導壁７ｃ（誘導案内部）が一体形成されている。具体的には図７に示すように、この誘導壁７ｃは、挿入方向の先端側（下手側；後方側）に向かうほど間隔が狭まるような一対のテーパ状平面を有する形態で、雄型コネクタ１１０の移動方向に沿って複数対（例えば３対）並設されている。なお、誘導壁７ｃの基部側（挿入方向の先端側）には、テーパ状平面に続いて挿入方向に平行な平面が雌型コネクタ１００に向かって形成されているので、雄型コネクタ１１０の差込部１１２は、その姿勢が一対の平行状平面によって挿入方向に整えられて保持される（図９参照）。
【００４０】
このように構成された発射ハンドル８を前面枠７へ装着するために、雄型コネクタ１１０を雌型コネクタ１００へ挿入（接続）する手順について、図８及び図９により説明する。図８において、発射ハンドル８の本体部１３０を前面枠７の取付凹部７’内で後方側に押し込む。雄型コネクタ１１０の差込部１１２の先端が誘導壁７ｃと接触すると、雄型コネクタ１１０は、第一のフローティング移動（例えば左方向への移動）を伴いながら、誘導壁７ｃのテーパ状平面に沿って挿入方向へ誘導案内される（図９（ａ））。これによって、雄型コネクタ１１０と雌型コネクタ１００との位置ずれを矯正できる。
【００４１】
さらに、雄型コネクタ１１０の差込部１１２の先端部が雌型コネクタ１００へ挿入されると、雄型コネクタ１１０の第一のフローティング移動に加えて、蓋体１２０が第二フローティング機構２０を介し、本体部１３０に対して第二のフローティング移動可能となる。これによって、雄型コネクタ１１０と雌型コネクタ１００との位置ずれをさらに矯正しつつ限度まで挿入し、組付（接続）作業を終了する（図９（ｂ））。ただし、組付時において、実際には第一及び第二のフローティング移動はほぼ同時に発生することが多い。なお、組付時に発射ハンドル８や前面枠７が振動・衝撃を受けても、第二のフローティング移動によってそれらを吸収できる。
【００４２】
また、雄型コネクタ１１０の差込部１１２の先端部が雌型コネクタ１００への挿入を終了したときに、蓋体１２０及び本体部１３０は雌型コネクタ１００から離間して非接触状態を維持している（図９（ｂ））。したがって、組付後に発射ハンドル８や前面枠７が振動・衝撃を受けても、第二のフローティング移動によってそれらを吸収できる。
【００４３】
このように、組付時（接触開始時及び挿入時）における二段階（第一及び第二）のフローティング移動を可能とすることによって、フローティング移動範囲（すなわち調整可能範囲）の拡大を図ることができる。そして、二段階のフローティング移動により、両コネクタ１００，１１０を前面枠７や発射ハンドル８に組み込む際の組付誤差や各パーツに存在する寸法公差（位置ずれ）を広範囲に吸収でき、組付時の振動・衝撃等にも対応（吸収）できるようになるので、組付作業者の熟練度合いにかかわらず接続不良による不良品の発生率を低減することができる。
【００４４】
また、第一のフローティング移動と第二のフローティング移動とは互いに独立しているので、雄型コネクタ１１０の移動範囲（調整可能範囲）を拡大することができる。また、雄型コネクタ１１０と蓋体１２０とは挿入方向から見て交差する方向に同時に移動することができるようになり、ねじれを伴うような複雑な位置ずれをも吸収できるようになる。
【００４５】
さらに、雌型コネクタ１００側に誘導壁７ｃを設けることによって、第一フローティング機構１０を円滑に作動させることができる。その結果、両コネクタ１００，１１０の組付誤差や寸法公差（位置ずれ）を第一のフローティング移動によって速やかに吸収することができる。
【００４６】
（実施例２）
次に、図１０は本発明に係るフローティング接続構造を備えた払出装置の一例を示す正面図及びＣ−Ｃ断面図である。払出装置９の内部には払出通路９ａが形成され、払出通路９ａには羽根車９ｂ（回転払出部材）が臨ませてある。この払出装置９は、箱状の本体部１３０（ベース部材）から突出形成された係合突起１３０ｃ（係合部）をパチンコ機１（遊技機）の内枠６に形成された係合孔６ａ（係合部）に係合し、その係合部１３０ｃ，６ａを支点として矢印方向に回動することにより内枠６に固定（装着）されている。また、払出装置９（本体部１３０）に保持された矩形状の雄型コネクタ１１０（挿入側接続端子）が、払出装置用中継基板Ｂ２（配線基板）に実装（固定保持）された矩形状の雌型コネクタ１００（被挿入側接続端子）に挿入されている（図７〜図９参照）。なお、払出装置用中継基板Ｂ２を介して払出装置９と払出制御基板（図示せず）との間で制御信号や電源の入出力が行われる。
【００４７】
払出装置９の本体部１３０において、その前端開口部には矩形板状の蓋体１２０（中間部材）が設けられ、雄型コネクタ１１０はその蓋体１２０からさらに前方側（雌型コネクタ１００への挿入方向）へ突出している。したがって、第二フローティング機構２０は、第一フローティング機構１０の外側において、周方向に複数（例えば、矩形の四隅に設けることにより、９０°間隔で４ヶ所）配置され、蓋体１２０の周方向や半径方向への移動（第二のフローティング移動）を可能にする。
【００４８】
（実施例３）
次に、図１１は本発明に係るフローティング接続構造を備えた遊技盤の一例を示すＸ−Ｘ断面図である。遊技盤２の後面側には、左側端部に溝部２ｄが形成された内枠６が配置されている。この遊技盤２は、左側端部を溝部２ｄに嵌め込み、その溝部２ｄを支点として矢印方向に回動することにより内枠６に固定（装着）されている。また、遊技盤２の後面には板状の本体部１３０（ベース部材）が固着され、本体部１３０から後方側に突出するボス部１３０ａ（第二移動スペース形成部）に保持された矩形状の雄型コネクタ１１０（挿入側接続端子）が、遊技盤用中継基板Ｂ３（配線基板）に実装（固定保持）された矩形状の雌型コネクタ１００（被挿入側接続端子）に挿入されている（図７〜図９参照）。なお、遊技盤用中継基板Ｂ３を介して遊技盤２と主制御基板（図示せず）との間で制御信号や電源の入出力が行われる。符号６’は、ヒンジ６ｂ（図２参照）を介して内枠６（機枠）を回動可能に支持する外枠を表している。
【００４９】
実施例２（図１０）及び実施例３（図１１）において、実施例１（図１〜図９）と共通する機能を有する部分にはそれぞれ同一符号を付して説明を省略する。
【００５０】
なお、本発明に係る遊技機用電装機器は、パチンコ機以外の遊技機（例えば、スロットマシン、アレンジボール、アレンジパチンコ（アレパチ）、雀球遊技機等）に装着される電装機器に適用してもよい。その際、少なくともアレパチにおいては、実施例１〜３に示す電装機器をそのまま適用することができる。また、本発明に係る電気配線用フローティング接続構造は、遊技機用電装機器以外の電装機器に備えられる接続構造に適用してもよい。さらに、図７から見てとれるように、被挿入側接続端子が移動しないように静止保持される（配線基板に実装されない）状態にあり、ベース部材が中間部材に対して挿入方向とは反対側に配置される態様の電気配線用フローティング接続構造にも適用できる場合がある。
【図面の簡単な説明】
【００５１】
【図１】本発明に係る発射ハンドルが装着されたパチンコ機を例示する正面図。
【図２】図１の背面図。
【図３】本発明に係るフローティング接続構造を備えた発射ハンドルの一例を背面から見た斜視図。
【図４】図３の発射ハンドルを分解して示す背面斜視図。
【図５】図３の背面図。
【図６】図５のＡ−Ａ断面図及び部分拡大断面図並びにＢ−Ｂ断面図。
【図７】図３の発射ハンドルを前面枠に装着する状態を概念的に示す斜視図。
【図８】図７の内部構造を示す側面断面図。
【図９】図８に続いてコネクタの接続過程を示す側面断面図。
【図１０】本発明に係るフローティング接続構造を備えた払出装置の一例を示す正面図及びＣ−Ｃ断面図。
【図１１】本発明に係るフローティング接続構造を備えた遊技盤の一例を示すＸ−Ｘ断面図。
【図１２】第一浮動隙間形成部の変形例を示す説明図。
【符号の説明】
【００５２】
１        パチンコ機（遊技機）
２        遊技盤（遊技機用電装機器）
２ｄ      溝部
６        内枠（機枠）
６’      外枠
６ａ      係合孔（係合部）
６ｂ      ヒンジ
７        前面枠（機枠）
７’      取付凹部
７ａ      ヒンジ
７ｂ      保持板（機枠）
７ｃ      誘導壁（誘導案内部）
８        発射ハンドル（遊技機用発射ハンドル；遊技機用電装機器）
９        払出装置（遊技機用払出装置；遊技機用電装機器）
９ａ      払出通路
９ｂ      羽根車（回転払出部材）
１０      第一フローティング機構
１１      ビス（取付部材；第一移動スペース形成部）
１２      座金（第一浮動隙間形成部）
２０      第二フローティング機構
２１      ビス（取付部材）
２１ａ    座金（第二浮動隙間形成部）
１００    雌型コネクタ（被挿入側接続端子）
１００ａ  接続ピン
１１０    雄型コネクタ（挿入側接続端子）
１１０ａ  ピン孔
１１１    台座
１１１ａ  貫通孔（第一移動スペース形成部）
１１２    差込部
１２０    蓋体（中間部材；第二移動スペース形成部）
１２０ａ  着座部（第一受止部）
１２０ｂ  周縁切欠部
１３０    本体部（ベース部材）
１３０ａ  ボス部（膨出部；第二移動スペース形成部）
１３０ｂ  リブ壁（第二受止部）
１３０ｃ  係合突起（係合部）
Ｂ１      発射ハンドル用中継基板（配線基板）
Ｂ２      払出装置用中継基板（配線基板）
Ｂ３      遊技盤用中継基板（配線基板）
Ｓ１      第一スペース
Ｓ２      第二スペース
【図１】
2010115433.tif 000003
【図２】
2010115433.tif 000004
【図３】
2010115433.tif 000005
【図４】
2010115433.tif 000006
【図５】
2010115433.tif 000007
【図６】
2010115433.tif 000008
【図７】
2010115433.tif 000009
【図８】
2010115433.tif 000010
【図９】
2010115433.tif 000011
【図１０】
2010115433.tif 000012
【図１１】
2010115433.tif 000013
【図１２】
2010115433.tif 000014